(57)【特許請求の範囲】
【請求項１】
運転モードを選択して運転を開始する操作が行われると共に、運転を停止する操作が行われる入力部を有した操作手段と、
点検対象物の使用状態を特定する使用情報を生成する使用情報生成手段と、
利用者による前記操作手段での操作に従って運転制御を行うと共に、前記使用情報生成手段で生成された前記点検対象物の使用情報に基づいて、点検時期の到来を通知すべき点検対象物があるか否かを判断する制御手段とを備え、
前記制御手段は、点検時期の到来を通知すべき点検対象物があると判断すると、点検時期の到来を示す点検通知情報を出力する条件として、人の有無を判断する第１の条件で、前記操作手段で運転を開始あるいは停止する操作が行われたか判断し、前記操作手段で運転を開始あるいは停止する操作が行われたと判断すると、利用者が点検通知情報を認識し得る場所に居ると判断して、点検通知情報を出力し、第１の条件で人が居ない状態であると判断すると、時間の経過を判断する第２の条件で所定時間が経過したか判断し、所定時間が経過したと判断すると、点検通知情報を出力する
ことを特徴とする設備機器。
【請求項２】
前記制御手段は、点検通知情報であることを認識させる出力形態で、点検通知情報と他の情報を区別して出力する
ことを特徴とする請求項１に記載の設備機器。
【請求項３】
前記制御手段は、点検通知情報であることを認識させる出力形態として、点検通知情報と他の情報を、同一の情報出力手段あるいは異なる情報出力手段で交互に出力する
ことを特徴とする請求項２に記載の設備機器。
【請求項４】
前記制御手段は、点検通知情報であることを認識させる出力形態として、点検通知情報と他の情報を、異なる情報出力手段で同時期に出力する
ことを特徴とする請求項２に記載の設備機器。
【請求項５】
前記制御手段は、点検通知情報であることを認識させる出力形態として、点検通知情報と他の情報を、出力する時間を変えて出力する
ことを特徴とする請求項２または請求項３のいずれか１項に記載の設備機器。
【請求項６】
前記他の情報は、点検通知情報に対応した点検時期である
ことを特徴とする請求項２〜請求項５のいずれか１項に記載の設備機器。
【請求項７】
前記他の情報は、点検を依頼する連絡先情報である
ことを特徴とする請求項２〜請求項５のいずれか１項に記載の設備機器。
【請求項８】
前記他の情報は、実行中の運転の種別を特定する運転情報である
ことを特徴とする請求項２〜請求項５のいずれか１項に記載の設備機器。
【請求項９】
前記他の情報は、エラーの種別を特定するエラー情報である
ことを特徴とする請求項２〜請求項５のいずれか１項に記載の設備機器。
【発明の詳細な説明】
【技術分野】
【０００１】
本発明は、住宅で使用される設備機器に関する。
【背景技術】
【０００２】
従来、住宅で使用される浴室暖房換気乾燥機等の設備機器は、長期間の使用での部品の経年劣化等を考慮して、故障の有無によらず点検が必要となる場合がある。
【０００３】
そこで、予め設定された点検時期に到達すると、点検時期が来た旨のお知らせを行えるようにした装置が提案されている。このような設備機器では、点検時期が到来して点検時期到来の通知を行っても、利用者が通知に気付かなければ、点検が行われず、点検しないまま使い続けられる可能性がある。そこで、点検時期到来の通知を、複数回行えるようにした技術が提案されている（例えば、特許文献１参照）。
【先行技術文献】
【特許文献】
【０００４】
【特許文献１】特開２００９−２７０７３３号公報
【発明の概要】
【発明が解決しようとする課題】
【０００５】
しかし、点検時期到来の通知を複数回行っても、何らかの情報の出力が、点検時期到来の通知であることを利用者が認識していない場合も多く、利用者の点検に対する意識が十分でなく、利用者が通知に気付かず、点検しないまま使い続けられる可能性がある。
【０００６】
また、点検時期到来の通知を行えるようにした設備機器では、点検時期到来の通知と、実行中の運転モードを示す運転情報を同時に出力できないような構成である場合、運転情報が優先して表示される。このように、運転情報が優先して表示されると、運転中は点検時期到来の通知を認識することができず、利用者が通知に気付かなければ、点検が行われず、点検しないまま使い続けられる可能性がある。
【０００７】
本発明は、このような課題を解決するためになされたもので、情報の出力が、点検時期の到来を通知する情報であることを利用者に認識させることができるようにした設備機器を提供することを目的とする。
【課題を解決するための手段】
【０００８】
上述した課題を解決するため、本発明の設備機器は、運転モードを選択して運転を開始する操作が行われると共に、運転を停止する操作が行われる入力部を有した操作手段と、点検対象物の使用状態を特定する使用情報を生成する使用情報生成手段と、利用者による操作手段での操作に従って運転制御を行うと共に、使用情報生成手段で生成された点検対象物の使用情報に基づいて、点検時期の到来を通知すべき点検対象物があるか否かを判断する制御手段とを備え、制御手段は、点検時期の到来を通知すべき点検対象物があると判断すると、点検時期の到来を示す点検通知情報を出力する条件として、人の有無を判断する第１の条件で、操作手段で運転を開始あるいは停止する操作が行われたか判断し、操作手段で運転を開始あるいは停止する操作が行われたと判断すると、利用者が点検通知情報を認識し得る場所に居ると判断して、点検通知情報を出力し、第１の条件で人が居ない状態であると判断すると、時間の経過を判断する第２の条件で所定時間が経過したか判断し、所定時間が経過したと判断すると、点検通知情報を出力する設備機器である。
【０００９】
本発明の設備機器では、点検対象物について点検時期が到来すると、人の有無を判断する第１の条件で利用者が点検通知情報を認識し得る場所に居ることを検出して、点検通知情報が出力される。
【００１０】
また、第１の条件で人が居ない状態であると判断すると、時間の経過を判断する第２の条件で点検通知情報を出力する。
【００１１】
本発明の設備機器では、点検対象物について点検時期が到来すると、点検通知情報であることを認識させる出力形態で、点検通知情報と他の情報が区別されて出力される。
【発明の効果】
【００１２】
本発明の設備機器によれば、点検時期の到来により出力した点検通知情報が、点検時期の到来を示す情報であることを利用者に認識させることができ、利用者の点検に対する意識を薄れさせることなく、通知に従い点検を行わせることができる。
【図面の簡単な説明】
【００１３】
【図１】本実施の形態の浴室暖房換気乾燥機の制御系の一例を示す機能ブロック図である。
【図２】本実施の形態の浴室暖房換気乾燥機の構成の一例を示す側断面図である。
【図３】記憶部の記憶内容の一例を示す説明図である。
【図４】操作装置の一例を示す構成図である。
【図５】浴室暖房換気乾燥機において点検通知情報の出力を開始するタイミングを変化させる動作の第１の実施の形態を示すフローチャートである。
【図６】浴室暖房換気乾燥機において点検通知情報の出力形態を変化させる動作の第１の実施の形態を示すフローチャートである。
【図７】浴室暖房換気乾燥機において点検通知情報の出力形態を変化させる動作の第２の実施の形態を示すフローチャートである。
【図８】浴室暖房換気乾燥機において点検通知情報の出力形態を変化させる動作の第３の実施の形態を示すフローチャートである。
【図９】浴室暖房換気乾燥機において点検通知情報の出力形態を変化させる動作の第４の実施の形態を示すフローチャートである。
【図１０】浴室暖房換気乾燥機において点検通知情報の出力形態を変化させる動作の第５の実施の形態を示すフローチャートである。
【図１１】浴室暖房換気乾燥機において点検通知情報の出力形態を変化させる動作の第６の実施の形態を示すフローチャートである。
【図１２】浴室暖房換気乾燥機において点検通知情報の出力形態を変化させる動作の第７の実施の形態を示すフローチャートである。
【図１３】浴室暖房換気乾燥機において点検通知情報の出力形態を変化させる動作の第８の実施の形態を示すフローチャートである。
【発明を実施するための形態】
【００１４】
以下、図面を参照して本発明の設備機器の実施の形態として、浴室や洗面所、脱衣所、トイレ、居室等の室内に設置される暖房機能等を備えた空調装置の一例としての浴室暖房換気乾燥機について説明する。
【００１５】
＜浴室暖房換気乾燥機の構成例＞
図１は、本実施の形態の浴室暖房換気乾燥機の制御系の一例を示す機能ブロック図、図２は、本実施の形態の浴室暖房換気乾燥機の構成の一例を示す側断面図である。
【００１６】
本実施の形態の浴室暖房換気乾燥機１Ａは、製品である本体装置１０Ａの点検時期を算出して、予め設定された所定の点検時期の到来の有無を判断する。浴室暖房換気乾燥機１Ａでは、本体装置１０Ａが、所定の点検時期が到来することの通知が必要な状態になったと判断すると、本体装置１０Ａについての点検通知情報を出力して、点検時期が到来することを通知する。
【００１７】
また、本実施の形態の浴室暖房換気乾燥機１Ａは、本体装置１０Ａを構成する部品の中で、所定の保守の対象となる部品についても点検時期を算出して、予め設定された所定の点検時期の到来の有無を判断する。
【００１８】
浴室暖房換気乾燥機１Ａでは、本体装置１０Ａを構成する保守対象の部品が、所定の点検時期が到来することの通知が必要な状態になったと判断すると、部品についての点検通知情報を出力して、点検時期が到来することを通知する。
【００１９】
浴室暖房換気乾燥機１Ａでは、本体装置１０Ａあるいは部品の点検時期が到来して点検通知情報の出力を開始しても、利用者が点検通知情報に気付かなければ、点検が行われず、点検しないまま使い続けられる可能性がある。
【００２０】
また、浴室暖房換気乾燥機１Ａでは、リモートコントロール装置等の操作手段に実行中の運転モードを示す運転情報が出力されると共に、点検通知情報が出力される。しかし、出力できる情報量の制約によって、運転情報と点検通知情報を同時に表示できない構成も多く、そのような場合、運転情報が優先して表示される。このように、運転情報が優先して表示されると、運転中は点検通知情報を認識することができず、やはり、利用者が点検通知情報に気付かなければ、点検が行われず、点検しないまま使い続けられる可能性がある。
【００２１】
そこで、利用者が認識し得るタイミングで点検通知情報を出力する制御、点検時期、実行中の運転モード、エラーの有無等に応じて点検通知情報の出力形態を切り替える制御を実行するプログラムによって、利用者に点検通知情報であることを認識させる設定に基づいた出力形態で点検通知情報を出力できるようにする。
【００２２】
まず、図２を参照して、浴室暖房換気乾燥機１Ａの構成の一例について説明する。本実施の形態の浴室暖房換気乾燥機１Ａを構成する本体装置１０Ａは、空気を吸い込んで温風または室温に応じた涼風を吹き出すと共に、吸い込んだ空気を排気するファン部２を備える。
【００２３】
ファン部２は、多翼の羽根車２０と、羽根車２０を回転駆動するファンモータ２１と、風路を形成するファンケース２２を備える。ファン部２は、羽根車２０の軸方向に沿ったファンケース２２の下面に吸込口２２ａを備える。また、ファン部２は、羽根車２０の接線方向に沿った下流側でファンケース２２の下面に吹出口２２ｂを備えるとともに、ファンケース２２の側面に排気口２２ｃを備える。
【００２４】
本体装置１０Ａは、吹出口２２ｂと排気口２２ｃとの間で風路を切り替える風路切替ダンパ２３を備える。風路切替ダンパ２３は、ダンパモータ２４の駆動力が伝達され、吹出口２２ｂと排気口２２ｃの開閉動作を行う。
【００２５】
本体装置１０Ａは、風路切替ダンパ２３の位置を、図２に実線で示すように排気口２２ｃを閉じる循環位置とすると、吹出口２２ｂが開いて、吸込口２２ａから吹出口２２ｂへ連通した循環風路が形成される。
【００２６】
また、本体装置１０Ａは、風路切替ダンパ２３の位置を、図２に一点鎖線で示すように吹出口２２ｂを閉じる換気位置とすると、排気口２２ｃが開いて、吸込口２２ａから排気口２２ｃへ連通した換気風路が形成される。
【００２７】
更に、本体装置１０Ａは、風路切替ダンパ２３の位置を、図２に二点鎖線で示す循環位置と換気位置の間の循環換気位置とすると、吹出口２２ｂと排気口２２ｃの双方が開いて、循環風路と換気風路の双方が形成される。
【００２８】
本体装置１０Ａは、吹出口２２ｂにヒータ２５を備える。ヒータ２５は例えばＰＴＣヒータで構成され、ヒータ２５に通電されると、ヒータ２５が加熱されることで吹出口２２ｂを通る空気が加熱され、吹出口２２ｂから温風が吹き出す。
【００２９】
本体装置１０Ａは、ヒータ２５の上流側にイオン発生器２６を備える。イオン発生器２６はイオン発生手段の一例で、風路切替ダンパ２３を循環位置あるいは循環換気位置とすることで形成される循環風路にイオン放出面が露出する。
【００３０】
イオン発生器２６は、正イオンと負イオンの両方あるいは負イオンを発生する。正イオンと負イオンの発生の原理は、コロナ放電により空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００３１】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００３２】
これにより、本体装置１０Ａでファン部２の運転と連動させて略同数の正イオンと負イオンを発生させ、略同数の正イオンと負イオンを含む空気を送風することで、循環する空気に含まれる浮遊細菌と浴室の空気中の浮遊細菌の双方を除去して、カビの発生等を抑えることができる。尚、イオン発生器２６によるイオンの発生は負イオンのみでも良く、コロナ放電ではなく、他の方法でも良い。更に、循環する空気に含まれる浮遊細菌と浴室の空気中の浮遊細菌の双方を除去する手段として、イオンではなく、他の空気処理手段であっても良い。
【００３３】
本体装置１０Ａは、ファン部２を覆う本体ケース３を備える。本体ケース３は、不燃性材料である金属板等で、ファン部２の上側全体を覆う形状に構成される。また、本体装置１０Ａは、本体ケース３の内側に基板４を備える。
【００３４】
本体装置１０Ａは、本体ケース３の一の側面に、排気口２２ｃとつながるダクトジョイント５が取り付けられ、ダクトジョイント５には、図示しない排気ダクトが取り付けられる。
【００３５】
本体装置１０Ａは、下面にフロントパネル６が取り付けられる。フロントパネル６は、吸込口２２ａの位置に合わせて吸込口グリル６０ａが形成されると共に、吹出口２２ｂの位置に合わせて吹出口グリル６０ｂが形成される。
【００３６】
浴室暖房換気乾燥機１Ａは、本体装置１０Ａのファンモータ２１に通電されると、ファン部２の羽根車２０が回転する。羽根車２０が回転駆動されると、フロントパネル６の吸込口グリル６０ａを介してファン部２の吸込口２２ａから浴室内の空気が吸い込まれる。
【００３７】
風路切替ダンパ２３の位置が図２に実線で示す循環位置であると、ファン部２において吸込口２２ａから吹出口２２ｂへの循環風路が形成されるので、吸込口２２ａから吸い込まれた空気は、循環風路を通り吹出口２２ｂからフロントパネル６の吹出口グリル６０ｂを介して浴室内に吹き出される。ヒータ２５は吹出口２２ｂに配置されるので、ヒータ２５に通電されることで、循環風路を通る空気が温められて、温風が吹出口グリル６０ｂから吹き出す。
【００３８】
これにより、風路切替ダンパ２３を循環位置として、ファンモータ２１に通電されると、ヒータ２５に通電した場合は、浴室内の空気を循環させながら、浴室内に温風が吹き出される。
【００３９】
ヒータ２５に非通電の場合は、浴室内の空気を循環させながら、室温に応じた涼風が浴室内に吹き出される。また、イオン発生器２６に通電した場合は、浴室内の空気を循環させながら、略同数の正イオンと負イオンを含む空気が吹き出される。
【００４０】
風路切替ダンパ２３の位置が図２に一点鎖線で示す換気位置であると、ファン部２において吸込口２２ａから排気口２２ｃへの換気風路が形成されるので、吸込口２２ａから吸い込まれた空気は、換気風路及び排気口２２ｃを通り、図示しない排気ダクトを介して屋外へ排気される。
【００４１】
これにより、風路切替ダンパ２３を換気位置として、ファンモータ２１に通電されると、浴室内の湯気や湿気が排気される。
【００４２】
風路切替ダンパ２３の位置が図２に二点鎖線で示す循環換気位置であると、ファン部２において吸込口２２ａから吹出口２２ｂへの循環風路と、吸込口２２ａから排気口２２ｃへの換気風路の双方が形成されるので、吸込口２２ａから吸い込まれた空気は、一部は循環風路を通り吹出口２２ｂからフロントパネル６の吹出口グリル６０ｂを介して浴室内に吹き出される。また、吸込口２２ａから吸い込まれた空気の残部は、換気風路及び排気口２２ｃを通り、屋外へ排気される。
【００４３】
これにより、風路切替ダンパ２３を循環換気位置として、ファンモータ２１に通電されると、ヒータ２５に非通電の場合は、浴室内の空気を循環させながら、浴室内の湯気や湿気が排気される。
【００４４】
また、イオン発生器２６に通電した場合は、略同数の正イオンと負イオンを含む空気を循環させながら、浴室内の湯気や湿気が排気される。
【００４５】
一方、ヒータ２５に通電した場合は、浴室内の空気を循環させて浴室内に温風を吹き出しながら、浴室内の湯気や湿気が排気される。
【００４６】
なお、浴室暖房換気乾燥機１Ａの本体装置１０Ａとしては、循環ファンと換気ファンを備えて循環風路と換気風路が独立した構成等でも良い。
【００４７】
次に、図１を参照して、本実施の形態の浴室暖房換気乾燥機１Ａの制御系の構成の一例について説明する。浴室暖房換気乾燥機１Ａは、本体装置１０Ａに操作装置７が有線または無線で接続され、操作装置７での操作に応じて本体装置１０Ａが制御される。
【００４８】
本体装置１０Ａは、図２で説明したファンモータ２１と、ダンパモータ２４と、ヒータ２５等を制御する本体制御部８を備える。本体制御部８は本体制御手段の一例で、図示しないＣＰＵやメモリ等を備え、操作装置７での操作と、予め記憶されているプログラムに従って、本体装置１０Ａの運転制御を行う。
【００４９】
浴室暖房換気乾燥機１Ａは、本体装置１０Ａに表示部８０ａを備える。表示部８０ａは、図２に示すフロントパネル６に視認可能に設けられ、例えば、運転モードを示す表記とランプ等を対応させる形態で構成される。また、数字等が表示可能な構成でも良い。更に、操作装置７が無線で接続される形態では、受光部を備える構成としても良い。
【００５０】
本体制御部８は、操作装置７での所定の操作に従って本体装置１０Ａを制御し、浴室の暖房を行う暖房運転モードと、浴室の換気を行う換気運転モードと、浴室及び浴室内に干した衣類等の乾燥を行う乾燥運転モードと、入浴者等に対して送風を行う涼風運転モードと、浴室内にイオンを供給するイオン発生運転モード等を選択的に実行する。
【００５１】
暖房運転モードでは、風路切替ダンパ２３を循環位置として、ファンモータ２１に通電すると共にヒータ２５に通電することで、浴室内の空気を循環させながら、浴室内に温風が吹き出される。
【００５２】
換気運転モードでは、風路切替ダンパ２３を換気位置として、ファンモータ２１に通電することで、浴室内の湯気や湿気が屋外へ排気される。
【００５３】
乾燥運転モードでは、風路切替ダンパ２３を循環換気位置として、ファンモータ２１に通電すると共にヒータ２５に通電することで、浴室内の空気を循環させながら、浴室内に温風が吹き出される。また、浴室内の湯気や湿気が屋外へ排気される。
【００５４】
涼風運転モードでは、風路切替ダンパ２３を循環位置として、ファンモータ２１に通電することで、浴室内の空気を循環させながら、室温に応じた空気が浴室内に吹き出される。なお、涼風運転モードでは、風路切替ダンパ２３を循環換気位置としても良い。
【００５５】
イオン発生運転モードでは、風路切替ダンパ２３を循環換気位置として、ファンモータ２１に通電すると共にイオン発生器２６に通電することで、浴室内の空気を循環させながら、略同数の正イオンと負イオンを含む空気が浴室内に吹き出される。また、浴室内の湯気や湿気が屋外へ排気される。なお、イオン発生運転モードでは、風路切替ダンパ２３を循環位置としても良い。
【００５６】
また、本体制御部８は、本体装置１０Ａ全体の点検時期、及びファンモータ２１やヒータ２５等、保守の対象となる各部品の点検時期を算出し、点検時期が到来することを操作装置７での表示出力、音での出力、本体装置１０Ａの表示部８０ａでの表示出力等で通知する制御を行う。
【００５７】
本体制御部８は、本体装置１０Ａの点検時期を算出するため、本体装置１０Ａの使用状態に関する情報を生成する第１の計時部８１ａを備える。また、本体制御部８は、保守対象の各部品の点検時期を算出するため、各部品の使用状態に関する情報を生成する第２の計時部８１ｂを備える。
【００５８】
第１の計時部８１ａは本体使用情報生成手段の一例で、実運転時間／回数情報ＤＡとして、本体装置１０Ａの使用状態を特定する本体使用情報を生成する。本体装置１０Ａの使用状態を特定する本体使用情報としては、所定の基準時点から経過した年数あるいは時間が用いられ、本体装置１０Ａの電源が投入されてからの時間、または、本体装置１０Ａが製造されてからの時間等が用いられる。以下の説明では、本体使用情報を第１の積算時間ＴＡ１と称す。
【００５９】
例えば、本体制御部８は、本体装置１０Ａの電源が投入されてからの時間の経過を第１の計時部８１ａで計時して、本体装置１０Ａに通電した時間の積算値を算出する。または、本体制御部８は、予め記憶された製造基準日からの時間の経過を第１の計時部８１ａで計時して、本体装置１０Ａが製造されてからの時間の積算値を算出する。なお、製造基準日としては、本体装置１０Ａの製造年と製造月の情報を記憶すると良い。また、製造基準日となる製造月や製造日については、これらをシールに記載し、それを本体装置１０Ａや操作装置７に貼り付けておき、確認できるようにしても良い。
【００６０】
あるいは、本体装置１０Ａ及び操作装置７の設置後に、施工者等の操作で設定された運転開始基準日または製造年月日からの時間の経過を第１の計時部８１ａで計時して、本体装置１０Ａが運転を開始してからの時間または製造年月日からの時間の積算値を算出しても良い。
【００６１】
運転開始基準日は、施工日あるいは施工日までの経過期間としても良い。時間の経過の積算値の開始時点とする基準日には、本体装置１０Ａへの通電を基準とした通電開始日や製造年月を基準とできるように、施工時等に施工時現在の年月、年月日、あるいは日付を入力することで、これを基準とすることもできるし、ファンモータ２１の通電開始等を基準とすることもできる。
【００６２】
このように、本体装置１０Ａ等の点検対象物について、実運転時間／回数情報ＤＡの計時、計数を開始する基準時点としては、製造年月日、通電の開始に伴う運転開始基準日を選べるようにしても良く、また、工場出荷時や施工時等の年月が特定される日付情報でも良い。
【００６３】
なお、本体装置１０Ａは、日付情報を取得できるように電波時計８０ｂを備えても良く、通電開始後は、電波時計８０ｂから得られる年月日情報と予め記憶された製造基準日または運転開始基準日から第１の計時部８１ａで経過時間を算出し、製造基準日または運転開始基準日からの時間の積算値を算出しても良い。
【００６４】
ここで、電波時計８０ｂは、脱着が可能な構成としても良く、電波時計８０ｂが施工時等に取り付けられ、通電を開始して電波時計８０ｂから年月日情報を取得した後、電波時計８０ｂを取り外すこととしても良い。
【００６５】
製造時あるいは工場出荷時に記憶された製造年月日を保持できるように、電池を搭載して記憶内容を保持しておく手段も考えられる。電池を搭載して記憶内容を保持するためには、制御部を動作状態にして製造年月日からの経過時間を計時する必要があるが、製品が製造、出荷されてから、設置されるまでの間に外来ノイズ等により制御部が誤作動した場合、予め記憶された製造年月日からの経過時間の計時が正確に行えない場合がある。また、出荷前の保管時間が長かったり、温度等の影響で電池が消耗すると、経過時間を保持できなくなる。
【００６６】
これに対して、電波時計８０ｂは、通電されると年月日情報を取得できるので、時計を駆動する電池を備えることなく、通電開始時に年月日情報を取得して、製造基準日または運転開始基準日からの時間の積算値を算出することができる。
【００６７】
また、電波時計８０ｂが必要となるのは、通電開始時であるので、電波時計８０ｂを脱着可能な構成とすれば、施行業者が施工時等の必要な時に持参して作業を行うことで、通電開始時に年月日情報を取得して、製造基準日または運転開始基準日からの時間の積算値を算出することができる。
【００６８】
第２の計時部８１ｂは部品使用情報生成手段の一例で、実運転時間／回数情報ＤＡとして、保守対象となる単一あるいは複数の部品の使用状態を特定する部品使用情報を生成する。
【００６９】
設備機器の一例である浴室暖房換気乾燥機１Ａでは、ファンモータ２１とヒータ２５、ヒータ２５のオン／オフを切り替えるリレースイッチ、風路を切り替えるダンパや風路を遮断するシャッタが設けられる構成では、ダンパモータ２４等が保守対象の部品として定められている。そして、保守対象の部品の使用状態を特定する部品使用情報としては、ファンモータ２１に通電した時間と、ヒータ２５に通電した時間と、ヒータ２５のＯＮ／ＯＦＦの回数、風路切替ダンパ２３の作動回数等が用いられる。以下の説明では、部品使用情報を第２の積算時間ＴＡ２と称す。
【００７０】
例えば、本体制御部８は、ファンモータ２１に通電した時間を第２の計時部８１ｂで計時して、ファンモータ２１に通電した時間の積算値を算出する。また、本体制御部８は、ヒータ２５に通電した時間を第２の計時部８１ｂで計時して、ヒータ２５に通電した時間の積算値を算出する。更に、本体制御部８は、ヒータ２５に通電した回数を第２の計時部８１ｂで計時して、ヒータ２５に通電した回数の積算値を算出する。
【００７１】
なお、第２の積算時間ＴＡ２としては、各運転モードでの運転時間を用いても良い。例えば、第２の積算時間ＴＡ２として、暖房運転モードでの運転時間である暖房運転時間と、換気運転モードでの運転時間である換気運転時間と、乾燥運転モードでの運転時間である乾燥運転時間と、涼風運転モードでの運転時間である涼風運転時間と、イオン発生運転モードでの運転時間であるイオン発生運転時間を用いても良い。また、他の運転モードとして、２４時間換気運転モードを備えている構成では、２４時間換気運転モードでの運転時間である２４時間換気運転時間を第２の積算時間ＴＡ２として用いても良い。更に、図示しないミスト発生装置と連動する構成では、ミスト運転モードでの運転時間であるミスト運転時間を第２の積算時間ＴＡ２として用いても良い。
【００７２】
第２の積算時間ＴＡ２として、運転時間を用いる制御では、運転時間に基づいて、ヒータ２５等の部品の通電時間を予測し、各部品の運転時間／回数情報を算出しても良い。例えば、ヒータ２５であれば、暖房運転モードや乾燥運転モードといったヒータ２５を使用する運転モードでの運転時間により、ヒータ２５の通電時間を予測して算出するようにしても良く、各部品の運転時間／回数情報は、直接的なものではなく、予測、算出するような間接的なものであっても良い。
【００７３】
本体装置１０Ａは、実運転時間／回数情報ＤＡ等を記憶する本体記憶部８２を備える。本体記憶部８２は本体記憶手段の一例で、実運転時間／回数情報ＤＡとして、第１の計時部８１ａで計時された第１の積算時間ＴＡ１と、第２の計時部８１ｂで計時された第２の積算時間ＴＡ２が記憶される。また、本体装置１０Ａの点検時期及び保守対象の部品の点検時期を決定する耐用時間／耐用回数情報ＤＢが記憶される。
【００７４】
更に、施工時等に設定された運転開始基準日または製造年月日等の基準時点となる日付情報、あるいは、電波時計８０ｂで取得した基準時点となる日付情報が記憶される。ここで、停電時等に実運転時間／回数情報ＤＡ、耐用時間／耐用回数情報ＤＢ、日付情報をバックアップできるように、本体制御部８は内部電源８０ｃを備えても良い。内部電源８０ｃは、コンデンサ、一次電池等が用いられ、通電開始後の停電時に本体制御部８に給電できるようにして、設定された記憶値及び積算の記憶値が消えないようにしても良い。
【００７５】
図３は、記憶部の記憶内容の一例を示す説明図である。本体記憶部８２は、実際の運転に伴う実運転時間／回数情報ＤＡとして、第１の積算時間ＴＡ１と第２の積算時間ＴＡ２が記憶される。第１の積算時間ＴＡ１としては、例えば、本体装置１０Ａの電源が投入されてからの積算時間が記憶される。第２の積算時間ＴＡ２としては、ファンモータ２１の通電時間と、ヒータ２５の通電時間と、ヒータ２５のＯＮ／ＯＦＦ回数が記憶される。
【００７６】
また、第２の積算時間ＴＡ２として、暖房運転時間と換気運転時間と２４時間換気運転時間と乾燥運転時間と涼風運転時間が記憶されても良い。更に、イオン発生器２６を備えてイオン発生運転モードが実行される構成では、イオン発生運転時間が記憶されても良い。また、図示しないミスト発生装置と連動する構成では、ミスト運転時間が記憶されても良い。
【００７７】
本体記憶部８２は、予め設定される耐用時間／耐用回数情報ＤＢとして、第１の積算時間ＴＡ１に対応した第１の耐用時間ＴＢ１と、第２の積算時間ＴＡ２に対応した第２の耐用時間ＴＢ２が記憶される。第１の耐用時間ＴＢ１は本体耐用情報の一例で、例えば、本体装置１０Ａの電源が投入されてからの耐用時間が記憶される。耐用時間として、製造基準日を基にした点検通知情報の通知開始日が記憶されても良い。また、第２の耐用時間ＴＢ２は部品耐用情報の一例で、ファンモータ２１の耐用通電時間と、ヒータ２５の耐用通電時間と、ヒータ２５の耐用ＯＮ／ＯＦＦ回数が記憶される。
【００７８】
また、第２の耐用時間ＴＢ２として、暖房運転耐用時間と換気運転耐用時間と２４時間換気運転耐用時間と乾燥運転耐用時間と涼風運転耐用時間が記憶されても良い。更に、イオン発生器２６を備えてイオン発生運転モードが実行される構成では、イオン発生運転耐用時間が記憶されても良い。また、図示しないミスト発生装置と連動する構成では、ミスト運転耐用時間が記憶されても良い。
【００７９】
本体制御部８は、本体記憶部８２に記憶された第１の積算時間ＴＡ１を、本体装置１０Ａの所定の点検でリセットする。本例では、予め定められている全ての保守対象部品の点検が行われ、点検に応じて必要な部品の修理及び部品の交換が行われた場合に、所定の操作等で第１の積算時間ＴＡ１がリセットされ、本体記憶部８２に、新たな第１の積算時間ＴＡ１が記憶される。また、第１の耐用時間ＴＢ１が必要に応じて新しい値に書き換えられる。更に、点検の結果、部品の修理及び部品の交換が行われない場合も、所定の操作等で第１の積算時間ＴＡ１がリセットされ、本体記憶部８２に、新たな第１の積算時間ＴＡ１が記憶される。また、第１の耐用時間ＴＢ１が必要に応じて新しい値に書き換えられる。
【００８０】
本体制御部８は、本体記憶部８２に記憶された第２の積算時間ＴＡ２を、部品の点検でリセットする。本例では、保守対象の個々の部品を必要に応じて点検した結果、耐用時間を延長しても良いと判断した場合、点検に応じた修理で耐用時間を延長しても良いと判断した場合、及び部品を交換した場合に、第２の積算時間ＴＡ２がリセットされ、本体記憶部８２に、新たな第２の積算時間ＴＡ２が記憶される。また、第２の耐用時間ＴＢ２が必要に応じて書き換えられる。
【００８１】
図４は、操作装置の一例を示す構成図で、次に、各図を参照して、本実施の形態の操作装置７の構成について説明する。操作装置７は、運転モードの選択等の操作が行われる入力部７０と、時間表示等を行う数字表示部７１ａ及び選択された運転モードを示すランプ等を備えた出力部７１を備える。操作装置７は、例えば出力部７１に、図４に示すように、点検時期が到来することの通知を行う点検ランプ７１ｂを備える。出力部７１数は情報出力手段の一例で、点検通知情報を第１の情報出力手段である点検ランプ７１ｂに点灯、点滅等で表示出力し、運転情報等の他の情報を第２の情報出力手段である運転モードを示すランプの点灯、点滅等で表示出力する。なお、点検通知情報を出力する第１の情報出力手段は、数字表示部７１ａであっても良い。また、他の情報を出力する第２の情報出力手段が、数字表示部７１ａであっても良い。
【００８２】
また、操作装置７は、上述した実運転時間／回数情報ＤＡと耐用時間／耐用回数情報ＤＢ等を記憶する操作装置記憶部７２と、操作装置記憶部７２に対する情報の読み取り及び書き込みを行う操作装置制御部７３と、本体記憶部８２及び操作装置記憶部７２に記憶された情報の通信を行う通信部７４を備える。
【００８３】
操作装置記憶部７２は操作部記憶手段の一例で、図３で説明した本体記憶部８２と同じ情報が記憶される。すなわち、操作装置記憶部７２は、実際の運転に伴う実運転時間／回数情報ＤＡとして、第１の積算時間ＴＡ１と第２の積算時間ＴＡ２が記憶される。第１の積算時間ＴＡ１としては、例えば、本体装置１０Ａの電源が投入されてからの積算時間が記憶される。第２の積算時間ＴＡ２としては、ファンモータ２１の通電時間と、ヒータ２５の通電時間と、ヒータ２５のＯＮ／ＯＦＦ回数が記憶される。
【００８４】
また、第２の積算時間ＴＡ２として、暖房運転時間と換気運転時間と２４時間換気運転時間と乾燥運転時間と涼風運転時間が記憶されても良い。更に、本体装置１０Ａにイオン発生器２６を備えてイオン発生運転モードが実行される構成では、イオン発生運転時間が記憶されても良い。また、図示しないミスト発生装置と連動する構成では、ミスト運転時間が記憶されても良い。
【００８５】
操作装置記憶部７２は、耐用時間／耐用回数情報ＤＢとして、第１の積算時間ＴＡ１に対応した第１の耐用時間ＴＢ１と、第２の積算時間ＴＡ２に対応した第２の耐用時間ＴＢ２が記憶される。第１の耐用時間ＴＢ１としては、例えば、本体装置１０Ａの電源が投入されてからの耐用時間が記憶される。また、第２の耐用時間ＴＢ２として、ファンモータ２１の耐用通電時間と、ヒータ２５の耐用通電時間と、ヒータ２５の耐用ＯＮ／ＯＦＦ回数が記憶される。
【００８６】
また、第２の耐用時間ＴＢ２として、暖房運転耐用時間と換気運転耐用時間と２４時間換気運転耐用時間と乾燥運転耐用時間と涼風運転耐用時間が記憶されても良い。更に、本体装置１０Ａにイオン発生器２６を備えてイオン発生運転モードが実行される構成では、イオン発生運転耐用時間が記憶されても良い。また、図示しないミスト発生装置と連動する構成では、ミスト運転耐用時間が記憶されても良い。
【００８７】
操作装置制御部７３は操作部制御手段の一例で、入力部７０での操作内容を本体装置１０Ａの本体制御部８に送信すると共に、出力部７１の表示制御を行う。また、操作装置記憶部７２の更新制御を行う。
【００８８】
操作装置制御部７３は、本体装置１０Ａの本体記憶部８２に記憶された実運転時間／回数情報ＤＡと耐用時間／耐用回数情報ＤＢを本体制御部８で比較して、第１の積算時間ＴＡ１が第１の耐用時間ＴＢ１に対して所定の関係になった場合、または、第２の積算時間ＴＡ２が第２の耐用時間ＴＢ２に対して所定の関係になった場合に、出力部７１に点検通知情報を表示する。
【００８９】
本体制御部８は、本体装置１０Ａの点検時期に関しては、第１の積算時間ＴＡ１が第１の耐用時間ＴＢ１に達する前に、点検時期が到来することの通知として点検通知情報を出力する。例えば、第１の耐用時間ＴＢ１として、本体装置１０Ａの電源が投入されてからの耐用時間が１０年と設定されている場合、第１の積算時間ＴＡ１が１０年より前の例えば９年になると、所定の表示形態で点検通知情報を表示する。
【００９０】
点検通知情報は、例えば、操作装置７の出力部７１の数字表示部７１ａに、数字、アルファベット、数字とアルファベットの組み合わせ等を表示することで行われる。また、点検通知情報は、点検ランプ７１ｂを点灯あるいは点滅表示することで行われる。
【００９１】
点検通知情報は、例えば、出力部７１の数字表示部７１ａ及び点検ランプ７１ｂを所定時間点灯させて消灯した後、所定期間毎、例えば１ヶ月おきに再度点灯表示を行う。また、点検通知情報は、本体装置１０Ａの表示部８０ａに、ランプの点灯あるいは点滅表示することで行っても良い。
【００９２】
なお、第１の積算時間ＴＡ１が第１の耐用時間ＴＢ１に到達する前に、１回または複数回の点検通知情報の通知時期を設定しておき、通知時期毎で段階的に表示形態を異ならせることで、利用者に本体装置１０Ａ全体の点検時期が近づいたこと、及び点検時期になったことを確実に通知することができる。
【００９３】
本体制御部８は、保守対象の部品の点検時期に関しては、第２の積算時間ＴＡ２が第２の耐用時間ＴＢ２に達すると、点検通知情報を出力する。例えば、第２の耐用時間ＴＢ２として、ファンモータ２１の耐用通電時間がＮ年と設定されている場合、ファンモータ２１に対応する第２の積算時間ＴＡ２がＮ年になると、所定の表示形態で点検通知情報を表示する。他の保守対象部品についても同様の制御がおこなわれる。なお、点検通知情報の出力は、出力部７１の数字表示部７１ａ及び点検ランプ７１ｂによる表示出力以外に、ＬＣＤを用いた表示出力や、ブザー等を用いた音による出力でも良く、また、本体装置１０Ａの表示部８０ａを用いた表示出力でも良く、報知手段はこれに限られるものではない。
【００９４】
本体制御部８は、保守対象の部品の点検時期に関して、第２の積算時間ＴＡ２と第２の耐用時間ＴＢ２に基づいて、各部品の点検時期を算出し、これから点検時期が到来する各部品の点検時期までの期間を出力する制御を行う。
【００９５】
部品の点検時期に関する点検通知情報の出力は、例えば、上述したように、本体装置１０Ａについて点検通知情報を出力するタイミング、最初に点検時期が到来することの通知が必要となった部品について点検通知情報を出力するタイミング、あるいは、操作装置７の所定の操作により行われる。部品の点検時期に関する点検通知情報は、点検時期を示す情報が、操作装置７の出力部７１、本体装置１０Ａの表示部８０ａに所定の出力形態で出力される。
【００９６】
浴室暖房換気乾燥機１Ａでは、本体制御部８は、上述したように、本体装置１０Ａあるいは部品の点検時期が到来したと判断すると、操作装置７の出力部７１、本体装置１０Ａの表示部８０ａに所定の出力形態、例えば表示により点検通知情報を出力する。
【００９７】
本体制御部８は、点検通知情報であることを認識させる設定として、点検通知情報の表示を、浴室暖房換気乾燥機１Ａを運転するための操作が行われると開始する出力形態で、点検通知情報を出力する。
【００９８】
また、本体制御部８は、点検通知情報であることを認識させる設定として、点検通知情報の出力に加えて、点検の依頼に必要である点検時期の期間を特定する情報、点検を依頼する連絡先の情報等を出力する出力形態で、点検通知情報を出力する。
【００９９】
更に、本体制御部８は、点検通知情報であることを認識させる設定として、点検時期までの期間に応じて切り替えられる出力形態で、点検通知情報を出力する。また、本体制御部８は、点検通知情報であることを認識させる設定として、点検通知情報の出力に加えて、実行中の運転モードあるいはエラーを特定する情報を出力する出力形態で、点検通知情報を出力する。
【０１００】
操作装置制御部７３は、操作装置７全体、または、操作装置記憶部７２を含む基板が交換された場合に、交換されていない本体装置１０Ａの本体記憶部８２に記憶されている実運転時間／回数情報ＤＡと耐用時間／耐用回数情報ＤＢをコピーして、操作装置記憶部７２に記憶する。
【０１０１】
同様に、本体制御部８は、本体記憶部８２を含む基板等が交換された場合に、交換されていない操作装置７の操作装置記憶部７２に記憶されている実運転時間／回数情報ＤＡと耐用時間／耐用回数情報ＤＢをコピーして、本体記憶部８２に記憶する。
【０１０２】
本体制御部８は、本体記憶部８２に記憶されている実運転時間／回数情報ＤＡ及び耐用時間／耐用回数情報ＤＢと、操作装置記憶部７２に記憶されている実運転時間／回数情報ＤＡ及び耐用時間／耐用回数情報ＤＢを比較して、例えば、チェックサムの値が初期化されている側の記憶部に対して、もう一方の記憶部の情報を書き込むことで、記憶部の整合性を保つ。これにより、実運転時間／回数情報ＤＡと耐用時間／耐用回数情報ＤＢの消滅を防ぐと共に、情報の移し変えが容易に行なえるようにする。なお、実運転時間／回数情報ＤＡと耐用時間／耐用回数情報ＤＢを記憶する記憶部は、本体装置１０Ａと操作装置７のどちらか一方にのみ備える構成でも良い。
【０１０３】
通信部７４は通信手段の一例で、有線あるいは無線通信を行う機能で実現される。操作装置制御部７３は、操作装置記憶部７２あるいは本体記憶部８２に記憶された実運転時間／回数情報ＤＡを読み出して、通信部７４により外部端末装置に送信する。
【０１０４】
一般に、浴室暖房換気乾燥機１Ａの操作装置７では、時間表示等のために４桁程度の数字情報を表示できるＬＥＤを備えた構成になっているが、実運転時間／回数情報ＤＡ、点検通知情報等を表示しようとした場合に、情報量が不足する可能性がある。そのため、浴室暖房換気乾燥機１Ａで取得した実運転時間／回数情報ＤＡを外部端末装置に送信することで、情報の確認が容易に行なえるようになり、点検の指示を的確に行うことが可能になる。
【０１０５】
また、浴室暖房換気乾燥機１ＡをＬＡＮ等のネットワークを介して図示しない、管理センタと接続し、浴室暖房換気乾燥機１Ａで取得した実運転時間／回数情報ＤＡを管理センタに送信することで、情報の確認が容易に行なえるようになり、点検の指示を的確に行うことが可能になる。また、情報のデータベース化が可能である。
【０１０６】
＜浴室暖房換気乾燥機の動作例＞
次に、各図を参照して本実施の形態の浴室暖房換気乾燥機１Ａの動作例について説明する。
【０１０７】
浴室暖房換気乾燥機１Ａの工場出荷時等に、耐用時間／耐用回数情報ＤＢとして、上述した第１の耐用時間ＴＢ１と第２の耐用時間ＴＢ２が本体記憶部８２に記憶される。操作装置記憶部７２を備えた構成では、操作装置記憶部７２に同様の情報が記憶される。
【０１０８】
浴室暖房換気乾燥機１Ａの本体装置１０Ａが浴室に設置され、操作装置７が洗面脱衣所等に設置されて、施工業者等により電源が投入されると、本体制御部８は、第１の積算時間ＴＡ１を計時して本体装置１０Ａの点検時期を監視する。本例では、本体装置１０Ａの電源が投入されてからの積算時間を第１の計時部８１ａで計時して、第１の積算時間ＴＡ１を本体記憶部８２に定期的に記憶する。操作装置記憶部７２を備えた構成では、操作装置記憶部７２に同様に第１の積算時間ＴＡ１を記憶する。
【０１０９】
利用者が操作装置７を操作して、所望の運転モードが選択されると、本体制御部８は、選択された運転モードに従ってファンモータ２１とヒータ２５等を制御する。
【０１１０】
例えば、暖房運転モードでは、ダンパモータ２４を駆動して風路切替ダンパ２３を循環位置とし、ファンモータ２１に通電すると共にヒータ２５に通電する。本体制御部８は、浴室暖房換気乾燥機１Ａの運転が行われると、第２の積算時間ＴＡ２を計時して保守対象部品の点検時期を監視する。
【０１１１】
本例では、ファンモータ２１に通電すると、ファンモータ２１に通電した積算時間を第２の計時部８１ｂで計時して、第２の積算時間ＴＡ２を本体記憶部８２に定期的に記憶する。また、ヒータ２５に通電すると、ヒータ２５に通電した積算時間を第２の計時部８１ｂで計時して、第２の積算時間ＴＡ２を本体記憶部８２に定期的に記憶する。更に、ヒータ２５のＯＮ／ＯＦＦ回数を第２の計時部８１ｂで計時して、第２の積算時間ＴＡ２を本体記憶部８２に定期的に記憶する。また、暖房運転時間を第２の計時部８１ｂで計時して、第２の積算時間ＴＡ２を本体記憶部８２に定期的に記憶する。操作装置記憶部７２を備えた構成では、操作装置記憶部７２に同様に第２の積算時間ＴＡ２を記憶する。
【０１１２】
なお、本体制御部８は、他の運転モードでも、保守対象部品の通電に応じて第２の積算時間ＴＡ２を第２の計時部８１ｂで計時して、本体記憶部８２に記憶する。
【０１１３】
本体制御部８は、本体記憶部８２に記憶された第１の積算時間ＴＡ１及び浴室暖房換気乾燥機１Ａの運転に伴う第２の積算時間ＴＡ２による実運転時間／回数情報ＤＡと、予め本体記憶部８２に記憶された第１の耐用時間ＴＢ１及び第２の耐用時間ＴＢ２による耐用時間／耐用回数情報ＤＢを定期的に比較し、本体装置１０Ａ及び保守対象の部品が点検時期に到達したか監視する。
【０１１４】
本体制御部８は、本体装置１０Ａの点検時期に関しては、上述したように、第１の耐用時間ＴＢ１より前に、点検通知情報の通知時期が設定され、第１の積算時間ＴＡ１が第１の耐用時間ＴＢ１に達する前に、点検通知情報を出力する。
【０１１５】
例えば、第１の耐用時間ＴＢ１として、本体装置１０Ａの耐用時間が１０年と設定されている場合、本例では、本体記憶部８２に記憶された第１の積算時間ＴＡ１が９年になると、本体制御部８は、所定の表示形態で点検通知情報を出力する指示を操作装置制御部７３に送信する。操作装置制御部７３は、本体制御部８からの指示を受けて、出力部７１に点検通知情報を表示する。
【０１１６】
点検通知情報は、点検対象物に対して所定の点検が行なわれるまで、同じ出力形態で所定間隔毎に繰り返し出力されることとしても良いし、点検通知情報の表示形態を切り替えて通知する通知時期を複数回設定しても良い。
【０１１７】
１回目の点検通知情報の通知時期では第１の表示形態で点検通知情報を出力し、１回目の点検通知情報の通知時期に本体装置１０Ａの所定の点検が行なわれない場合、本体記憶部８２に記憶された第１の積算時間ＴＡ１はリセットされず、積算が続く。
【０１１８】
本体記憶部８２に記憶された第１の積算時間ＴＡ１が、２回目の点検通知情報の通知時期になると、本体制御部８は、第２の表示形態で点検通知情報を出力する指示を操作装置制御部７３に送信する。操作装置制御部７３は、本体制御部８からの指示を受けて、出力部７１に第１の表示形態と異なる第２の表示形態で点検通知情報を表示する。
【０１１９】
２回目の点検通知情報の通知時期に本体装置１０Ａの所定の点検が行なわれない場合、本体記憶部８２に記憶された第１の積算時間ＴＡ１はリセットされず、積算が続く。本体記憶部８２に記憶された第１の積算時間ＴＡ１が、３回目の点検通知情報の通知時期、ここでは本来設定されている点検時期である１０年になると、本体制御部８は、第３の表示形態で点検通知情報を出力する指示を操作装置制御部７３に送信する。操作装置制御部７３は、本体制御部８からの指示を受けて、出力部７１に第１及び第２の表示形態と異なる第３の表示形態で点検通知情報を表示する。
【０１２０】
点検通知情報として、例えば点検ランプ７１ｂ等のＬＥＤの点灯を利用する場合、複数回の点検通知情報の通知時期で、本来設定されている点検時期に近づくにつれて点灯の間隔を例えば１ヶ月おき、半月おき、１日おきと早めて行って、点検通知情報の表示形態を異ならせることで、本体装置１０Ａの点検時期が近づいたことを確実に通知できる。
【０１２１】
なお、第１の積算時間ＴＡ１が第１の耐用時間ＴＢ１に達した後、本体装置１０Ａの所定の点検が行なわれない場合、本体記憶部８２に記憶された第１の積算時間ＴＡ１はリセットされず、積算が続く。そして、所定の間隔、例えば、１日おきに点検通知情報を表示する。
【０１２２】
利用者は、点検通知情報を確認すると、製造事業者等の保守担当業者に連絡をする。保守担当業者は、操作装置７の出力部７１に表示された点検通知情報を確認し、必要な点検を行う。
【０１２３】
操作装置７の出力部７１に表示される点検要請情報の表示形態で、点検対象が特定できるようにすることで、浴室暖房換気乾燥機１Ａの設置場所で点検対象の特定や交換修理の判断が行える。また、装置の使用を開始してから、耐用時間が経過したこと等を利用者に数値を示して説明できる。
【０１２４】
また、操作装置７等に外部端末装置を接続できるようにして、点検要請情報の内容を専用の治具で確認できるようにしても良い。更に、浴室暖房換気乾燥機１Ａをネットワークに接続して、浴室暖房換気乾燥機１Ａで取得した実運転時間／回数情報ＤＡ等を管理センタに送信することとしても良い。実運転時間／回数情報ＤＡ等を管理センタに送信することで、修理情報のデータベースへの格納が可能である。また、本体装置１０Ａの詳細な情報が管理センタに送信されることで、専門技術者が修理箇所の特定や修理内容を判断でき、現場での点検の指示を的確に行うことが可能になる。
【０１２５】
本体制御部８は、本体装置１０Ａで予め定められている全ての保守対象部品の点検が行われ、点検に応じて必要な部品の修理及び部品の交換が行われた場合に、本体記憶部８２に記憶された第１の積算時間ＴＡ１を所定の操作でリセットする。また、第１の耐用時間ＴＢ１を新しい値に書き換える。操作装置記憶部７２を備えた構成では、操作装置記憶部７２に記憶された第１の積算時間ＴＡ１をリセットし、第１の耐用時間ＴＢ１を新しい値に書き換える。更新後の第１の耐用時間ＴＢ１は、更新前の第１の耐用時間ＴＢ１より通常は短い値に設定される。例えば、点検前に、第１の耐用時間ＴＢ１が１０年と設定されている場合、点検後に更新される第１の耐用時間ＴＢ１は、例えば１年〜３年程度に設定されるようにすると良い。
【０１２６】
本体制御部８は、保守対象の部品の点検時期に関しては、上述したように、第２の耐用時間ＴＢ２が点検通知情報の通知時期として設定され、第２の積算時間ＴＡ２が第２の耐用時間ＴＢ２に達すると、点検通知情報を出力する。
【０１２７】
第２の積算時間ＴＡ２及び第２の耐用時間ＴＢ２が、ファンモータ２１やヒータ２５等の部品単位で設定されている場合は、第２の積算時間ＴＡ２が第２の耐用時間ＴＢ２に達すると、点検通知情報の表示形態で耐用時間となった部品を特定できるようにして、該当する部品の点検が行なえるようにする。
【０１２８】
一方、第２の積算時間ＴＡ２及び第２の耐用時間ＴＢ２が、各運転モードでの運転時間で設定されている場合は、運転モード毎に保守対象の部品が設定され、第２の積算時間ＴＡ２が第２の耐用時間ＴＢ２に達すると、点検通知情報の表示形態で耐用時間となった運転モードを特定できるようにして、該当する部品の点検が行なえるようにする。
【０１２９】
利用者は、部品に関する点検通知情報を確認すると、製造事業者等の保守担当業者に連絡をする。保守担当業者は、操作装置７の出力部７１に表示された点検通知情報を確認し、必要な点検を行う。
【０１３０】
本体制御部８は、耐用時間あるいは耐用回数に到達した保守対象の部品の点検が行われ、点検の結果、耐用時間あるいは耐用回数を延長しても良いと判断した場合、点検に応じた修理で耐用時間あるいは耐用回数を延長しても良いと判断した場合、及び部品を交換した場合に、本体記憶部８２に記憶された第２の積算時間ＴＡ２を所定の操作でリセットする。また、第２の耐用時間ＴＢ２を必要に応じて新しい値に書き換える。操作装置記憶部７２を備えた構成では、操作装置記憶部７２に記憶された第２の積算時間ＴＡ２をリセットし、第２の耐用時間ＴＢ２を必要に応じて新しい値に書き換える。なお、更新前と更新後の第２の耐用時間ＴＢ２は、異なった値でも良いが、部品を交換した場合等は、通常同じ値となる。
【０１３１】
これにより、予め設定されている部品の寿命が来る前に、部品の交換等の点検が行なえるので、実際に部品が故障する前に点検が行なえる。また、修理情報のデータベースが構築できることで、利用者毎の使用状況や使用頻度等による実寿命を求めることも可能となる。
【０１３２】
以上の説明では、本体装置１０Ａ及び保守対象の各部品について、点検時期の到来を通知する時期であると判断して、点検通知情報を出力する動作について説明したが、点検通知情報が出力されていることを利用者が容易に認識できるようにするため、利用者が認識し得るタイミングで点検通知情報を出力する制御、点検時期、実行中の運転モード、エラーの有無等に応じて点検通知情報の出力形態を切り替える制御等、利用者に点検通知情報であることを認識させる出力形態で点検通知情報を出力する制御も行われる。
【０１３３】
次に、利用者に点検通知情報であることを認識させる出力形態で点検通知情報を出力する動作の実施の形態について説明する。図５は、浴室暖房換気乾燥機において点検通知情報の出力を開始するタイミングを変化させる動作の第１の実施の形態を示すフローチャートである。図５では、利用者が存在し得る状況で点検通知情報の表示を開始する動作を例に説明する。
【０１３４】
本体制御部８は、本体装置１０Ａのみ、部品のみ、あるいは本体装置１０Ａと各部品の点検時期を算出して、点検時期の到来を通知すべき点検対象物があるか否かを判断する。点検時期の到来を通知すべき点検対象物があると判断すると、本体制御部８は、図５のステップＳＡ１で、運転を開始あるいは停止するため、操作装置７で入力部７０のボタンが押される等のキー操作が有るか判断する。
【０１３５】
キー操作があると、利用者が操作装置７の前に存在すると判断して、本体制御部８は、図５のステップＳＡ２で、点検時期の到来を通知すべき点検対象物である本体装置１０Ａあるいは部品、または本体装置１０Ａと部品の双方について、操作装置７の出力部７１、本体装置１０Ａの表示部８０ａに表示等により点検通知情報を出力する。
【０１３６】
本体制御部８は、図５のステップＳＡ３で、キー操作を所定時間検出しないと判断すると、人の検出の有無によらず、ステップＳＡ２で点検通知情報を出力する。
【０１３７】
利用者が浴室暖房換気乾燥機１Ａの設置場所の近く、例えば操作装置７の近くに居ない状況では、操作装置７等で点検通知情報を表示しても利用者が気付かない可能性が高い。これに対して、操作装置７等で何れかのキー操作があれば、利用者は操作装置７の近くに存在する状況で、操作装置７等で点検通知情報を表示すれば、利用者が気付く可能性が高い。
【０１３８】
そこで、点検通知情報の表示を行う時期になった場合、利用者が近くにおらず表示に気付かないような状況のときには点検通知情報の表示を開始せず、何れかのキー操作を検出したときに点検通知情報の表示を開始することで、必ず利用者が近くにいるときに点検通知情報の表示を開始できるようにして、点検通知情報の表示方法に変化を持たせる。
【０１３９】
これにより、利用者が表示に気付かないような状況では点検通知情報の表示が開始されることは無く、点検通知情報の表示時には利用者が近くに存在し得る状況であるため、点検時期の到来の通知に気付かせることができる。なお、本例では、操作装置７で運転を実行あるいは停止するための何らかの操作が行われることで、利用者が居ることを検出しているが、操作装置７等、操作装置７の設置場所、あるいは本体装置１０Ａの設置場所に人感センサを備えて、利用者が居ることを検出して点検通知情報の出力を開始しても良い。
【０１４０】
なお、操作の有無で人である利用者が居ることを検出して点検通知情報を出力する制御では、操作が長期間に亘って成されない場合、点検時期が到来しても、点検通知情報が出力されない。また、人感センサで利用者が居ることを検出して点検通知情報を出力する制御では、人感センサの誤作動等で人を検知できないと、点検時期が到来しても、点検通知情報が出力されない。
【０１４１】
そこで、上述した図５のステップＳＡ１で、人の有無を判断する条件として、浴室暖房換気乾燥機１Ａである設備機器のキー操作あるいは人感センサによる人の有無の検知、図示しない浴室等の浴室暖房換気乾燥機１Ａである設備機器の設置場所の照明スイッチの操作等を第１の条件とし、第１の条件で点検通知情報を出力する条件を満たさない場合は、図５のステップＳＡ３で、時間の経過を第２の条件として、第２の条件を満たせば点検通知情報を出力することとした。これにより、利用者が長期間に亘って操作をしない、利用者を正常に検知できないような場合であっても、確実に点検通知情報を出力することができる。
【０１４２】
図６は、浴室暖房換気乾燥機において点検通知情報の出力形態を変化させる動作の第１の実施の形態を示すフローチャートである。図６では、点検時期の到来の通知に合わせて実際の点検時期を表示する動作を例に説明する。
【０１４３】
本体制御部８は、本体装置１０Ａのみ、部品のみ、あるいは本体装置１０Ａと各部品の点検時期を算出して、点検時期の到来を通知すべき点検対象物があると判断すると、該当する点検対象物について、操作装置７の出力部７１、本体装置１０Ａの表示部８０ａに表示等により点検通知情報を出力する。ここで、点検通知情報の出力は、操作装置７での操作あるいは図示しない人感センサでの検出結果に基づき、利用者が居ると判断すると開始しても良い。
【０１４４】
本体制御部８では、点検時期の到来の通知に合わせて実際の点検時期を表示するため、点検通知情報と点検時期の表示を交互に切り替える所定時間が設定される。本体制御部８は、図６のステップＳＢ１で、点検通知情報を表示する動作で所定時間が経過したか判断し、所定時間が経過していると、ステップＳＢ２で、点検通知情報を表示しているか否かを判断する。
【０１４５】
点検通知情報を表示していると判断すると、本体制御部８は、図６のステップＳＢ３で、該当する点検対象物に対する点検時期として、点検時期の終期までの期間を算出し、ステップＳＢ４で、点検時期の終期までの期間を表示する。
【０１４６】
点検通知情報を表示していないと判断すると、本体制御部８は、図６のステップＳＢ５で、該当する点検対象物に対する点検通知情報を表示する。
【０１４７】
このように、点検通知情報の表示に加え、点検通知情報を表示している時点から、点検時期の終期までの具体的な期間を交互に表示させることで、点検時期が迫っていることを認識させることができる。これにより、点検通知情報の表示から点検時期の終期までの具体的な期間が判り、計画的に点検を実施することができる。ここで、点検通知情報を第１の情報出力手段である点検ランプ７１ｂに点灯、点滅等で表示し、点検時期の終期までの期間を第２の情報出力手段である数字表示部７１ａ等に表示しても良い。なお、上述したように、点検通知情報と、点検時期の終期までの期間等の他の情報を異なる情報出力手段で表示する制御では、点検通知情報と他の情報を交互に表示することで出力形態に変化を与えて、利用者の認識容易性を高めても良い。一方、点検通知情報と他の情報を同時期に表示して、常時認識できるようにしても良い。
【０１４８】
図７は、浴室暖房換気乾燥機において点検通知情報の出力形態を変化させる動作の第２の実施の形態を示すフローチャートである。図７では、点検時期の到来の通知に合わせて点検についての連絡先情報を表示する動作を例に説明する。
【０１４９】
本体制御部８は、本体装置１０Ａのみ、部品のみ、あるいは本体装置１０Ａと各部品の点検時期を算出して、点検時期の到来を通知すべき点検対象物があると判断すると、該当する点検対象物について、操作装置７の出力部７１、本体装置１０Ａの表示部８０ａに表示等により点検通知情報を出力する。ここで、点検通知情報の出力は、操作装置７での操作あるいは図示しない人感センサでの検出結果に基づき、利用者が居ると判断すると開始しても良い。
【０１５０】
本体制御部８では、点検時期の到来の通知に合わせて連絡先情報を表示するため、点検通知情報と連絡先情報の表示を交互に切り替える所定時間が設定される。本体制御部８は、図７のステップＳＣ１で、点検通知情報を表示する動作で所定時間が経過したか判断し、所定時間が経過していると、ステップＳＣ２で、点検通知情報を表示しているか否かを判断する。
【０１５１】
点検通知情報を表示していると判断すると、本体制御部８は、図７のステップＳＣ３で、該当する点検対象物に対する連絡先情報として本体記憶部８２に予め記憶されている点検依頼を受けるサービスセンタ等の電話番号情報を読み込み、ステップＳＣ４で、電話番号情報を表示する。
【０１５２】
点検通知情報を表示していないと判断すると、本体制御部８は、図７のステップＳＣ５で、該当する点検対象物に対する点検通知情報を表示する。
【０１５３】
このように、点検通知情報の表示に加え、予め本体記憶部８２に記憶された点検依頼を受けるサービスセンタの電話番号等の連絡先情報を交互に表示させることで、利用者の点検に対する手間を軽減し確実に点検を受けられるようにする。これにより、点検通知情報の表示の確認後、改めてサービスセンタの連絡先を調べる手間が無く、連絡先を調べる手間に起因して点検を忘れるということを無くして、確実に点検を受けさせることができる。ここで、点検通知情報を第１の情報出力手段である点検ランプ７１ｂに点灯、点滅等で表示し、連絡先情報を第２の情報出力手段である数字表示部７１ａ等に表示しても良い。
【０１５４】
図８は、浴室暖房換気乾燥機において点検通知情報の出力形態を変化させる動作の第３の実施の形態を示すフローチャートである。図８では、点検通知情報をランプ等の点滅で表示することとし、かつ、点検時期までの期間に応じて点滅間隔を切り替えることで、点検時期までの期間に応じて点検通知情報の出力形態を切り替える動作を例に説明する。
【０１５５】
本体制御部８は、本体装置１０Ａのみ、部品のみ、あるいは本体装置１０Ａと各部品の点検時期を算出して、点検時期の到来を通知すべき点検対象物があると判断すると、図８のステップＳＤ１で、該当する点検対象物に対する点検時期として、点検時期の終期までの期間を算出する。
【０１５６】
本体制御部８では、点検時期の終期までの期間に応じて、点検通知情報の点滅表示の周期を切り替えるため、点検時期の終期までの所定期間及び所定期間に対応した点滅周期が設定される。本例では、点検時期の終期までの期間の長短に応じて３段階で所定期間ａ，ｂ，ｃが設定される。所定期間ａでは、点検時期の終期までの期間が長く、所定期間ｃでは、点検時期の終期までの期間が短く設定され、所定期間の長短は、所定期間ａ＞所定期間ｂ＞所定期間ｃに設定される。
【０１５７】
点検通知情報の点滅表示の周期については、４段階で点滅周期Ａ，Ｂ，Ｃ，Ｄが設定される。点滅周期Ａでは点滅の周期が長く、点滅周期Ｄでは点滅の周期が短く設定され、点滅周期の長短は、点滅周期Ａ＞点滅周期Ｂ＞点滅周期Ｃ＞点滅周期Ｄに設定される。
【０１５８】
本体制御部８は、図８のステップＳＤ２で、点検時期の終期までの期間が所定期間ａ以下であるか判断し、点検時期の終期までの期間が所定期間ａより長いと判断すると、ステップＳＤ３で、操作装置７の出力部７１、本体装置１０Ａの表示部８０ａに、所定期間ａより長い期間に対応した点滅周期Ａで点検通知情報を点滅表示する。
【０１５９】
本体制御部８は、点検時期の終期までの期間が所定期間ａ以下であると判断すると、図８のステップＳＤ４で、点検時期の終期までの期間が所定期間ｂ以下であるか判断する。本体制御部８は、点検時期の終期までの期間が所定期間ｂより長いと判断すると、図８のステップＳＤ５で、所定期間ｂより長く所定期間ａ以下の期間に対応した点滅周期Ｂで点検通知情報を点滅表示する。
【０１６０】
本体制御部８は、点検時期の終期までの期間が所定期間ｂ以下であると判断すると、図８のステップＳＤ６で、点検時期の終期までの期間が所定期間ｃ以下であるか判断する。本体制御部８は、点検時期の終期までの期間が所定期間ｃより長いと判断すると、図８のステップＳＤ７で、所定期間ｃより長く所定期間ｂ以下の期間に対応した点滅周期Ｃで点検通知情報を点滅表示する。
【０１６１】
本体制御部８は、点検時期の終期までの期間が所定期間ｃ以下であると判断すると、図８のステップＳＤ８で、所定期間ｃ以下の期間に対応した点滅周期Ｄで点検通知情報を点滅表示する。
【０１６２】
このように、点検通知情報を表示している時点から、点検時期の終期までの具体的な期間に応じて、点検通知情報表示の点滅周期を変化させる。本例では、点検時期の終期までの期間が短くなると、点滅の周期を短くすることで、利用者の点検に対する意識の低下を防止する。これにより、点検通知情報の表示開始から、時間経過と共に表示の形態が変化するため、常に点検を意識することができ、点検忘れを防止できる。ここで、点検通知情報の出力は、操作装置７での操作あるいは図示しない人感センサでの検出結果に基づき、利用者が居ると判断すると開始しても良い。なお、本例では点滅周期を変化させたが、表示色を変える、数字表示部７１ａにおける表示パターンを変える、点滅の輝度を変えても良く、表示出力以外では、ブザー音の周波数を変えても良い。
【０１６３】
図９は、浴室暖房換気乾燥機において点検通知情報の出力形態を変化させる動作の第４の実施の形態を示すフローチャートである。図９では、点検通知情報と通常の運転等に伴う運転状態を示す情報を交互に表示することとし、かつ、点検時期までの期間に応じて点検通知情報の表示時間を切り替えることで、点検時期までの期間に応じて点検通知情報の出力形態を切り替える動作を例に説明する。
【０１６４】
本体制御部８は、本体装置１０Ａのみ、部品のみ、あるいは本体装置１０Ａと各部品の点検時期を算出して、点検時期の到来を通知すべき点検対象物があると判断すると、図８のステップＳＥ１で、該当する点検対象物に対する点検時期として、点検時期の終期までの期間を算出する。
【０１６５】
本体制御部８では、点検時期の終期までの期間に応じて、点検通知情報の表示時間を切り替えるため、点検時期の終期までの所定期間及び所定期間に対応した表示時間が設定される。本例では、点検時期の終期までの期間の長短に応じて３段階で所定期間ａ，ｂ，ｃが設定され、所定期間の長短は、所定期間ａ＞所定期間ｂ＞所定期間ｃに設定される。
【０１６６】
点検通知情報の表示時間については、４段階で表示時間Ｅ，Ｆ，Ｇ，Ｈが設定される。表示時間Ｅでは、点検通知情報を表示する時間が短く、表示時間Ｈでは、点検通知情報を表示する時間が長く設定され、表示時間の長短は、表示時間Ｅ＜表示時間Ｆ＜表示時間Ｇ＜表示時間Ｈに設定される。
【０１６７】
本体制御部８は、図９のステップＳＥ２で、点検時期の終期までの期間が所定期間ａ以下であるか判断し、点検時期の終期までの期間が所定期間ａより長いと判断すると、ステップＳＥ３で、操作装置７の出力部７１、本体装置１０Ａの表示部８０ａに、所定期間ａより長い期間に対応した表示時間Ｅで点検通知情報を表示して、点検通知情報と通常の運転等に伴う運転状態を示す運転情報を交互に表示する。
【０１６８】
本体制御部８は、点検時期の終期までの期間が所定期間ａ以下であると判断すると、図９のステップＳＥ４で、点検時期の終期までの期間が所定期間ｂ以下であるか判断する。本体制御部８は、点検時期の終期までの期間が所定期間ｂより長いと判断すると、図９のステップＳＥ５で、所定期間ｂより長く所定期間ａ以下の期間に対応した表示時間Ｆで、点検通知情報を通常表示と交互に表示する。
【０１６９】
本体制御部８は、点検時期の終期までの期間が所定期間ｂ以下であると判断すると、図９のステップＳＥ６で、点検時期の終期までの期間が所定期間ｃ以下であるか判断する。本体制御部８は、点検時期の終期までの期間が所定期間ｃより長いと判断すると、図９のステップＳＥ７で、所定期間ｃより長く所定期間ｂ以下の期間に対応した表示時間Ｇで、点検通知情報を通常表示と交互に表示する。
【０１７０】
本体制御部８は、点検時期の終期までの期間が所定期間ｃ以下であると判断すると、図９のステップＳＥ８で、所定期間ｃ以下の期間に対応した表示時間Ｈで、点検通知情報を通常表示と交互に表示する。
【０１７１】
このように、点検通知情報を表示している時点から、点検時期の終期までの具体的な期間に応じて、点検通知情報表示と通常表示を交互に表示させる時間配分を変化させる。本例では、点検時期の終期までの期間が短くなると、点検通知情報の表示時間を長くすることで、利用者の点検に対する意識の低下を防止する。これにより、点検通知情報の表示開始から、時間経過と共に表示の形態が変化するため、常に点検を意識することができ、点検忘れを防止できる。ここで、点検通知情報の出力は、操作装置７での操作あるいは図示しない人感センサでの検出結果に基づき、利用者が居ると判断すると開始しても良い。ここで、点検通知情報を第１の情報出力手段である点検ランプ７１ｂに点灯、点滅等で表示し、運転情報を第２の情報出力手段である出力部７１の運転モードを示すランプの点灯、点滅等で表示しても良い。
【０１７２】
図１０は、浴室暖房換気乾燥機において点検通知情報の出力形態を変化させる動作の第５の実施の形態を示すフローチャートである。図１０では、点検通知情報の表示の消去後に所定の操作で各点検対象物の点検時期を出力する動作について説明する。
【０１７３】
本体制御部８は、本体装置１０Ａあるいは部品の点検時期の到来により表示した点検通知情報を、点滅表示あるいは通常表示との交互表示等により消去した後、図１０のステップＳＦ１で、点検時期を表示する所定の操作を受けたか否かを判断する。本体制御部８は、点検時期を表示する所定の操作を受けていないと判断すると、上述したように、点検通知情報の点滅表示あるいは通常表示との交互表示を行う。
【０１７４】
本体制御部８は、点検時期を表示する所定の操作を受けたと判断すると、図１０のステップＳＦ２で、各点検対象物に対する点検時期として、点検時期の終期までの期間を算出し、ステップＳＦ３で、各点検対象物についての点検時期の終期までの期間を表示する。
【０１７５】
本体制御部８は、図１０のステップＳＦ４で、点検時期の表示を消去する所定の操作を受けたか否か、あるいは、所定の点検時期表示期間を経過したか判断する。本体制御部８は、点検時期の表示を消去する所定の操作を受けた、あるいは、所定の点検時期表示期間を経過したと判断すると、図１０のステップＳＦ５で、点検時期の終期までの期間の表示を消去する。
【０１７６】
このように、本体装置１０Ａあるいは部品の点検時期の到来により表示した点検通知情報を、点滅表示あるいは通常表示との交互表示のために消去した後であっても、所定の操作で、次に到来する点検時期を予測し、次の点検時期を一定期間あるいは表示の解除操作が行われるまで表示することができる。これにより、利用者が何時でも点検時期を確認することが可能となり、点検時期を逃すことなく計画的に点検を行うことができる。
【０１７７】
図１１は、浴室暖房換気乾燥機において点検通知情報の出力形態を変化させる動作の第６の実施の形態を示すフローチャートである。図１１では、点検時期の到来に合わせて点検通知情報の表示と運転情報の表示を行う動作を例に説明する。
【０１７８】
本体制御部８は、本体装置１０Ａのみ、部品のみ、あるいは本体装置１０Ａと各部品の点検時期を算出して、点検時期の到来を通知すべき点検対象物があると判断すると、該当する点検対象物について、操作装置７の出力部７１、本体装置１０Ａの表示部８０ａに点検通知情報を表示する。ここで、点検通知情報の出力は、操作装置７での操作あるいは図示しない人感センサでの検出結果に基づき、利用者が居ると判断すると開始しても良い。
【０１７９】
本体制御部８では、点検通知情報の表示と運転情報の表示を交互に行うため、点検通知情報の表示と運転情報の表示を交互に切り替える所定時間が設定される。本体制御部８は、図１１のステップＳＧ１で、点検通知情報を表示する動作で所定時間が経過したか判断し、所定時間が経過していると、ステップＳＧ２で、点検通知情報を表示しているか否かを判断する。
【０１８０】
点検通知情報を表示していると判断すると、本体制御部８は、図１１のステップＳＧ３で、通常の運転情報の表示として、通常の運転に伴う運転状態を示す運転情報を表示する。点検通知情報を表示していないと判断すると、本体制御部８は、図１１のステップＳＧ４で、該当する点検対象物に対する点検通知情報を表示する。
【０１８１】
このように、点検通知情報の表示中に運転を行った場合、あるいは運転中に点検通知情報の表示時期になった場合は、点検通知情報の表示と運転情報の表示を交互に表示させることで、常に利用者に対して点検の通知を行なう。
【０１８２】
これにより、２４時間換気運転のように、通常は運転情報の表示が常時行われる運転モードであっても、点検通知情報の表示と運転情報の表示を交互に行うことで、どのような運転モードであっても点検通知情報を表示できるため、利用者が点検時期に気が付かないことを防止できる。ここで、点検通知情報を第１の情報出力手段である点検ランプ７１ｂに点灯、点滅等で表示し、運転情報を第２の情報出力手段である出力部７１の運転モードを示すランプの点灯、点滅等で表示しても良い。
【０１８３】
図１２は、浴室暖房換気乾燥機において点検通知情報の出力形態を変化させる動作の第７の実施の形態を示すフローチャートである。図１２では、点検通知情報の表示と運転表示の時間を運転モードに応じて切り替える動作を例に説明する。
【０１８４】
本体制御部８は、本体装置１０Ａのみ、部品のみ、あるいは本体装置１０Ａと各部品の点検時期を算出して、点検時期の到来を通知すべき点検対象物があると判断して、点検通知情報を表示する動作を開始すると、図１２のステップＳＨ１で、実行中の運転モードが２４時間換気運転であるか否かを判断する。
【０１８５】
実行中の運転モードが２４時間換気運転であると判断すると、本体制御部８は、図１２のステップＳＨ２で、点検通知情報の表示時間を長くして、点検通知情報の表示と運転情報の表示を交互に行う。本例では、点検通知情報の表示時間を運転情報の表示時間より長くして、点検通知情報の表示と運転情報の表示を交互に行う。
【０１８６】
実行中の運転モードが２４時間換気運転以外の運転モードであると判断すると、本体制御部８は、図１２のステップＳＨ３で、点検通知情報の表示時間を短くして、点検通知情報の表示と運転表示を交互に行う。本例では、点検通知情報の表示時間を運転情報の表示時間より短くして、点検通知情報の表示と運転情報の表示を交互に行う。
【０１８７】
このように、点検通知情報の表示と運転情報の表示を交互に表示させる時間配分を、選択された運転モードに応じて変化させ、通常長時間運転する２４時間換気時は点検通知情報の表示時間を長くし、他の運転時は点検通知情報の表示時間を短くする。ここで、点検通知情報を第１の情報出力手段である点検ランプ７１ｂに点灯、点滅等で表示し、運転情報を第２の情報出力手段である出力部７１の運転モードを示すランプの点灯、点滅等で表示しても良い。
【０１８８】
これにより、２４時間換気運転のように常時運転されていることで、通常は動作状態を確認しないような運転では点検通知情報の表示期間を長くし、暖房運転等、運転状態の確認を行う運転では運転状態の表示期間を長くすることで、利用者の運転状態の確認の妨げにならず、かつ、点検通知情報を確認させることができる。
【０１８９】
図１３は、浴室暖房換気乾燥機において点検通知情報の出力形態を変化させる動作の第８の実施の形態を示すフローチャートである。図１３では、点検時期の到来に合わせて点検通知情報の表示とエラー情報の表示を行う動作を例に説明する。
【０１９０】
本体制御部８は、本体装置１０Ａのみ、部品のみ、あるいは本体装置１０Ａと各部品の点検時期を算出して、点検時期の到来を通知すべき点検対象物があると判断すると、該当する点検対象物について、操作装置７の出力部７１、本体装置１０Ａの表示部８０ａに点検通知情報を表示する。ここで、点検通知情報の出力は、操作装置７での操作あるいは図示しない人感センサでの検出結果に基づき、利用者が居ると判断すると開始しても良い。
【０１９１】
本体制御部８では、点検対象物について点検時期が到来した後、部品の故障等を検出してエラー情報の通知が必要となると、点検通知情報の表示とエラー情報の表示を交互に行うため、点検通知情報の表示とエラー情報の表示を交互に切り替える所定時間が設定される。本体制御部８は、図１３のステップＳＩ１で、点検通知情報を表示する動作で所定時間が経過したか判断し、所定時間が経過していると、ステップＳＩ２で、点検通知情報を表示しているか否かを判断する。
【０１９２】
点検通知情報を表示していると判断すると、本体制御部８は、図１３のステップＳＩ３で、エラー情報を表示する。点検通知情報を表示していないと判断すると、本体制御部８は、図１３のステップＳＩ４で、該当する点検対象物に対する点検通知情報を表示する。
【０１９３】
このように、点検対象物について点検時期が到来した後、部品の故障等を検出してエラー情報の通知が必要となって、エラー情報の表示と点検通知情報表示が同時に必要な場合、交互に表示させる。ここで、点検通知情報を第１の情報出力手段である点検ランプ７１ｂに点灯、点滅等で表示し、エラー情報を第２の情報出力手段である数字表示部７１ａ等に表示しても良い。
【０１９４】
これにより、エラー情報と点検通知情報を交互に表示することで、エラーに対するメンテナンスの依頼時に同時に点検実施の依頼もでき、メンテナンス業者を繰り返し呼ぶ必要が無くなり利用者の手間を省くことができる。
【０１９５】
なお、浴室暖房換気乾燥機１Ａにおける保守対象の部品としては、ファンモータ２１とヒータ２５以外に、他のモータや、スイッチを構成するリレー等を含めても良い。
【０１９６】
また、設備機器としては、浴室暖房換気乾燥機等の空調装置以外に、ファンを駆動するモータを備えた換気扇や熱交換換気装置、破砕刃を駆動するモータを備えたディスポーザ、ヒータを備えた床暖房機等が含まれる。
【産業上の利用可能性】
【０１９７】
本発明は、住宅に設置される浴室暖房換気乾燥機等の空調装置、換気扇、熱交換換気装置、ディスポーザ、床暖房機等の設備機器に適用される。
【符号の説明】
【０１９８】
１Ａ・・・浴室暖房換気乾燥機、１０Ａ・・・本体装置、７・・・操作装置、７２・・・操作装置記憶部、７３・・・操作装置制御部、８・・・本体制御部、８１ａ・・・第１の計時部、８１ｂ・・・第２の計時部、８２・・・本体記憶部
【図１】
0005987405.tif 000002
【図２】
0005987405.tif 000003
【図３】
0005987405.tif 000004
【図４】
0005987405.tif 000005
【図５】
0005987405.tif 000006
【図６】
0005987405.tif 000007
【図７】
0005987405.tif 000008
【図８】
0005987405.tif 000009
【図９】
0005987405.tif 000010
【図１０】
0005987405.tif 000011
【図１１】
0005987405.tif 000012
【図１２】
0005987405.tif 000013
【図１３】
0005987405.tif 000014